(57)【要約】【課題】  コンテンツ受信装置を変更すること無く、所望のコンテンツのダイジェスト版を提供できるコンテンツ送信装置を提供する。【解決手段】  コンテンツ送信装置は、源コンテンツとダイジェストコンテンツを保存する蓄積手段と、源コンテンツとダイジェストコンテンツの対応がわかるコンテンツ関連情報と、ネットワーク経由でコンテンツを取得するためのアクセス先情報を生成し、コンテンツ情報を生成し、コンテンツ受信装置に提供するコンテンツ情報手段とを備える。【選択図】  図１
2007194975.tif 000002
【特許請求の範囲】
【請求項１】
コンテンツを保存するコンテンツ蓄積手段と、
該コンテンツを部分的に抽出し、所定の再生時間になるように編集したダイジェストコンテンツを１つあるいは複数の異なる再生時間で生成し、該コンテンツ蓄積手段に保存するダイジェストコンテンツ生成手段と、
該コンテンツ蓄積手段に保存されているコンテンツそれぞれについて、少なくともネットワーク経由で所望のコンテンツを取得するためのアクセス先情報と、源コンテンツとダイジェストコンテンツの対応がわかるコンテンツ関連情報とを含むコンテンツ情報を提供するコンテンツ情報提供手段と、
アクセス先情報で指定されたコンテンツを該蓄積手段から読出して配信する配信処理手段と、
他のネットワーク装置の要求に従って、少なくとも該コンテンツ情報、あるいはコンテンツを送信するネットワーク通信手段と、を備えることを特徴とするコンテンツ送信装置。
【請求項２】
コンテンツを保存するコンテンツ蓄積手段と、
該コンテンツを部分的に抽出し、所定の再生時間になるように編集したダイジェストコンテンツを１つあるいは複数の異なる再生時間で生成し、該コンテンツ蓄積手段に保存するダイジェストコンテンツ生成手段と、
該コンテンツ蓄積手段に保存されているコンテンツそれぞれについて、少なくともネットワーク経由で所望のコンテンツを取得するためのアクセス先情報と、コンテンツのダイジェストコンテンツが提供可能かどうかを示すダイジェストフラグと、ダイジェストコンテンツを指定するダイジェスト識別情報とを含むコンテンツ情報を提供するコンテンツ情報提供手段と、
源コンテンツとダイジェストコンテンツとの対応付けを保存し、ダイジェストコンテンツが生成あるいは削除される度に源コンテンツのコンテンツ情報に含まれる該ダイジェスト識別情報を更新するコンテンツ管理手段と、
該アクセス先情報と該ダイジェスト識別情報で指定されたコンテンツを該蓄積手段から読出して配信する配信処理手段と、
他のネットワーク装置の要求に従って、少なくとも該コンテンツ情報、またはコンテンツを送信するネットワーク通信手段と、を備えることを特徴とするコンテンツ送信装置。
【請求項３】
コンテンツを保存するコンテンツ蓄積手段と、
少なくとも、該コンテンツを部分的に抽出し、１つあるいは複数の所定の再生時間で再生するための抽出位置情報を含むダイジェスト情報を生成するダイジェスト情報生成手段と、
該コンテンツ蓄積手段に保存されているコンテンツそれぞれについて、少なくともネットワーク経由で所望のコンテンツを取得するためのアクセス先情報と、源コンテンツとダイジェストコンテンツの対応がわかるコンテンツ関連情報とを含むコンテンツ情報を提供するコンテンツ情報提供手段と、
源コンテンツとダイジェスト情報との対応付けを保存し、更には、該ダイジェスト情報に対応するダイジェストコンテンツのコンテンツ情報を生成し、該コンテンツ情報提供手段に登録するコンテンツ管理手段と、
アクセス先情報で指定されたコンテンツを、ダイジェスト情報に従って所定の部分を抽出しながら該蓄積手段から読出して配信する配信処理手段と、
他のネットワーク装置の要求に従って、少なくとも該コンテンツ情報、あるいはコンテンツを送信するネットワーク通信手段と、を備えることを特徴とするコンテンツ送信装置。
【請求項４】
コンテンツを保存するコンテンツ蓄積手段と、
少なくとも、該コンテンツを部分的に抽出し、１つあるいは複数の所定の再生時間で  再生するための抽出位置情報を含むダイジェスト情報を生成するダイジェスト情報生成手段と、
該コンテンツ蓄積手段に保存されているコンテンツそれぞれについて、少なくともネットワーク経由で所望のコンテンツを取得するためのアクセス先情報と、コンテンツのダイジェストコンテンツが提供可能かどうかを示すダイジェストフラグと、ダイジェストコンテンツを指定するダイジェスト識別情報とを含むコンテンツ情報を提供するコンテンツ情報提供手段と、
源コンテンツとダイジェスト情報との対応付けを保存し、ダイジェスト情報が生成あるいは削除される度に源コンテンツのコンテンツ情報に含まれる該ダイジェスト識別情報を更新するコンテンツ管理手段と、
アクセス先情報で指定されたコンテンツを、ダイジェスト情報に従って所定の部分を抽出しながら該蓄積手段から読出して配信する配信処理手段と、
他のネットワーク装置の要求に従って、少なくとも該コンテンツ情報、あるいはコンテンツを送信するネットワーク通信手段と、を備えることを特徴とするコンテンツ送信装置。
【請求項５】
請求項１に記載のコンテンツ送信装置において、
源コンテンツとダイジェストコンテンツとの対応付けを保存し、源コンテンツが削除された場合には、対応するダイジェストコンテンツ、及び、コンテンツ情報を削除するコンテンツ管理手段を備えることを特徴とするコンテンツ送信装置。
【請求項６】
請求項２に記載のコンテンツ送信装置において、
コンテンツ管理手段は、源コンテンツが削除された場合には、対応するダイジェストコンテンツ、及び、コンテンツ情報を削除することを特徴とするコンテンツ送信装置。
【請求項７】
請求項３に記載のコンテンツ送信装置において、
コンテンツ管理手段は、源コンテンツが削除された場合には、対応するダイジェスト情報、及び、コンテンツ情報を削除することを特徴とするコンテンツ送信装置。
【請求項８】
請求項４に記載のコンテンツ送信装置において、
コンテンツ管理手段は、源コンテンツが削除された場合には、対応するダイジェスト情報を削除することを特徴とするコンテンツ送信装置。
【請求項９】
請求項１から４の何れかに記載のコンテンツ送信装置において、
コンテンツ情報はデジタル・リビング・ネットワーク・アライアンス・ガイドラインと同じ形式であることを特徴とするコンテンツ送信装置。
【請求項１０】
請求項２または４の何れかに記載のコンテンツ送信装置において、
ダイジェストコンテンツの配信はデジタル・リビング・ネットワーク・アライアンス・ガイドラインのサーバーサイドトリックプレイの仕組みに従うことを特徴とするコンテンツ送信装置。
【請求項１１】
コンテンツを保存するコンテンツ蓄積手段を有するコンテンツ送信装置のコンテンツ伝送方法において、
該コンテンツを部分的に抽出し、所定の再生時間になるように編集したダイジェストコンテンツを１つあるいは複数の異なる再生時間で生成し、該コンテンツ蓄積手段に保存するダイジェストコンテンツの生成ステップと、
該コンテンツ蓄積手段に保存されているコンテンツそれぞれについて、少なくともネットワーク経由で所望のコンテンツを取得するためのアクセス先情報と、源コンテンツとダイジェストコンテンツの対応がわかるコンテンツ関連情報とを含むコンテンツ情報を提供するステップと、
アクセス先情報で指定されたコンテンツを該蓄積手段から読出して配信するステップと、
他のネットワーク装置の要求に従って、少なくとも該コンテンツ情報、あるいはコンテンツを送信するステップと、を備えることを特徴とするコンテンツ送信装置のコンテンツ伝送方法。
【発明の詳細な説明】
【技術分野】
【０００１】
本発明は映像音声等のコンテンツを、ネットワークを介して送信するコンテンツ送信装置およびコンテンツ伝送方法に関するものである。
【背景技術】
【０００２】
パーソナルコンピュータ（以下ＰＣと記す）の演算速度や記憶容量など処理能力の発展に伴い、ＰＣに内蔵されるハードディスクドライブ（以下ＨＤＤと記す）も大容量化が進んでいる。こうした状況のもとで最近では一般の家庭で利用されるようなＰＣにおいてもＨＤＤを利用してＴＶ放送番組を録画し、これをＰＣのディスプレイで視聴を行なうといった使い方ができるようになってきた。
【０００３】
またその一方では大容量ＨＤＤの低価格化により、家庭用の録画装置としてもＨＤＤを内蔵してこれに映像音声情報をデジタル記録するＨＤＤ録画装置が登場し、録画中の番組を最初から視聴できるなど使い勝手の良さから急速に普及してきている。
また、録画装置に括り付けとなってしまうＨＤＤに記録されたコンテンツを、ネットワークを介することで他のＰＣあるいは受信装置から視聴できるコンテンツ送信装置、コンテンツ受信装置が登場し始めた。このようなコンテンツ送信装置、コンテンツ受信装置はネットワークの利便性を高めるため、メーカーに依存しない接続性が要求され、そのための枠組みが「非特許文献１」に記載されている。
【０００４】
一方、ＨＤＤの容量は更に大容量化が進み、ＨＤＤには非常に多くのコンテンツが記録されてくる。そのため、多くのコンテンツを効率良く視聴するため技術が多数提案されている。
例えば、「特許文献１」では、コンテンツ受信装置がネットワーク経由で遠隔のコンテンツ送信装置に記録されている複数のコンテンツの一部分を含むダイジェスト情報と、それぞれのコンテンツのアドレス情報を取得することで効率的に複数のコンテンツから所定のコンテンツを選択できることが記載されている。
【０００５】
【特許文献１】特開２００５−６３１７１号公報
【非特許文献１】デジタル・リビング・ネットワーク・アライアンス・ガイドライン（Digital Living Network Alliance (DLNA)の禰ome Networked Device Interoperability Guidelines  v1.0煤j
【発明の開示】
【発明が解決しようとする課題】
【０００６】
しかしながら、上記した「特許文献１」ではメーカーに依存しない接続性について配慮されておらず、「特許文献１」に従った装置でなければ効率的なコンテンツ視聴の利便性を享受することができなかった。
本発明の目的は、メーカーに依存しない接続性を確保しつつ、効率的に短時間でコンテンツを視聴可能なコンテンツ送信装置及びコンテンツ伝送方法を提供することである。
【課題を解決するための手段】
【０００７】
上記課題を解決するために、本発明によるコンテンツ送信装置は、コンテンツを保存するコンテンツ蓄積手段と、コンテンツを部分的に抽出し、所定の再生時間になるように編集したダイジェストコンテンツを１つあるいは複数の異なる再生時間で生成し、該コンテンツ蓄積手段に保存するダイジェストコンテンツ生成手段と、コンテンツ蓄積手段に保存されているコンテンツそれぞれについて、少なくともネットワーク経由で所望のコンテンツを取得するためのアクセス先情報と、源コンテンツとダイジェストコンテンツの対応がわかるコンテンツ関連情報とを含むコンテンツ情報を提供するコンテンツ情報提供手段と、アクセス先情報で指定されたコンテンツを該蓄積手段から読出して配信する配信処理手段と、他のネットワーク装置の要求に従って、少なくとも該コンテンツ情報、あるいはコンテンツを送信するネットワーク通信手段とから構成される。
【０００８】
また、本発明によるコンテンツを保存するコンテンツ蓄積手段を有するコンテンツ送信装置のコンテンツ伝送方法は、該コンテンツを部分的に抽出し、所定の再生時間になるように編集したダイジェストコンテンツを１つあるいは複数の異なる再生時間で生成し、該コンテンツ蓄積手段に保存するダイジェストコンテンツの生成ステップと、該コンテンツ蓄積手段に保存されているコンテンツそれぞれについて、少なくともネットワーク経由で所望のコンテンツを取得するためのアクセス先情報と、源コンテンツとダイジェストコンテンツの対応がわかるコンテンツ関連情報とを含むコンテンツ情報を提供するステップと、アクセス先情報で指定されたコンテンツを該蓄積手段から読出して配信するステップと、他のネットワーク装置の要求に従って、少なくとも該コンテンツ情報、あるいはコンテンツを送信するステップとから構成される。
【発明の効果】
【０００９】
本発明によれば、メーカーに依存しない接続性を確保しつつ、効率的に短時間でコンテンツを視聴可能なコンテンツ送信装置及びコンテンツ伝送方法を提供できる。
【発明を実施するための最良の形態】
【００１０】
以下、本発明の実施の形態について図面を用いて説明する。
【実施例１】
【００１１】
以下、本発明の実施例１について説明する。
図１は実施例１に係るコンテンツ送信装置１００およびコンテンツ受信装置２００の構成の一例を示したものである。コンテンツ送信装置１００とコンテンツ受信装置２００とは互いにIPネットワーク３００を介して接続されている。
コンテンツ送信装置１００はコンテンツ蓄積手段１０１、ダイジェストコンテンツ生成手段１０２、コンテンツ情報提供手段１０３、コンテンツ管理手段１０４、配信処理手段１０５、ネットワーク通信手段１０６から成る。
【００１２】
コンテンツ蓄積手段１０１には、例えば、デジタルテレビ放送番組のコンテンツや、アナログテレビ放送番組をデジタル化したコンテンツを保存する。
ダイジェストコンテンツ生成手段１０２はコンテンツ蓄積手段に保存されたコンテンツを所定の再生時間になるように編集したダイジェストコンテンツを少なくとも１つ生成しコンテンツ蓄積手段１０１に保存する。
【００１３】
なお、ダイジェストコンテンツの生成方法は、例えば、放送番組に含まれるメタデータを利用した方法や、番組を時間で分割し重要度を評価する方法や、音情報を用いて盛り上がり度を評価する方法などがあるが、ここでは特に限定せず、公知の方法を用いる。
コンテンツ情報提供手段１０３は、ネットワーク経由で所望のコンテンツを取得するためのアクセス先情報と、源コンテンツとダイジェストコンテンツの対応が利用者に判るような形式のコンテンツ関連情報とを含むコンテンツ情報を提供する。
【００１４】
図２はコンテンツ情報提供手段１０３が生成するコンテンツ情報の一例である。図中２１１はコンテンツを識別するための管理番号、２１２はコンテンツのファイル名である。これらは、コンテンツ管理手段が生成し、コンテンツを管理するために用いる情報である。２１３タイトルはコンテンツの名前を示すテキスト情報で、２１４は記録日時を示す情報、２１５はコンテンツの再生時間情報、２１６はコンテンツのサイズ情報、２１７はコンテンツの場所を示すＵＲＩ（Ｕｎｉｆｏｒｍ  Ｒｅｓｏｕｒｃｅ  Ｉｄｅｎｔｉｆｉｅｒ）（以下、コンテンツＵＲＩと記す）でコンテンツ受信装置２００はＨＴＴＰ（ＨｙｐｅｒＴｅｘｔ  Ｔｒａｎｓｆｅｒ  Ｐｒｏｔｏｃｏｌ）プロトコルなどを用いてこのＵＲＩにアクセスすることによってコンテンツを取得し、再生することができる。
【００１５】
２１３、２１４、２１５、２１６はコンテンツ受信装置２００を利用するユーザにコンテンツの詳細を伝えるための情報でモニタ画面に表示するための情報であるが、タイトル２１３以外は必須ではなく例えばジャンル情報など他の情報であってもかまわない。タイトル２１３は図に示すように源コンテンツのタイトルを「サッカー」、ダイジェストコンテンツのタイトルを「サッカー３０分版」「サッカー５分版」等とすることで、コンテンツ受信装置側がコンテンツ情報の解釈をしなくても、タイトル情報を表示するだけで、源コンテンツとダイジェストコンテンツの対応付けが利用者に判るような情報にする。
コンテンツ管理手段１０４は源コンテンツとダイジェストコンテンツとを対応付ける管理番号やタイトルを生成し保存する。
【００１６】
コンテンツ管理手段１０４の処理フローを図３に示す。
コンテンツ蓄積手段１０１に新しいコンテンツが保存されると（Ｓ１０１）コンテンツ管理手段１０４はコンテンツ自体の情報や、あるいは、ここでは記述していないコンテンツを受信したデジタル放送受信機や、ネットワークを介して取得したコンテンツの番組情報などを用いて、保存したコンテンツのファイル名２１２、タイトル２１３、記録日２１４、番組の録画時間２１５、サイズ２１６などの情報を取得、あるいは生成する。さらにコンテンツ管理手段がコンテンツを管理するための管理番号２１１とネットワークを介してコンテンツを提供するためのコンテンツＵＲＩを生成し、保存・管理する（Ｓ１０２）。
【００１７】
ダイジェストコンテンツが保存された場合は（Ｓ１０３）、ダイジェストコンテンツ生成手段１０２から源コンテンツの管理番号と、ダイジェストコンテンツのファイル名、録画時間、サイズなどを取得する（Ｓ１０４）。さらに、コンテンツ管理手段はダイジェストコンテンツの管理番号と、タイトル情報、コンテンツＵＲＩを生成する（Ｓ１０５）。
【００１８】
管理番号は源コンテンツの管理番号を基に、所定のルールでダイジェストコンテンツの管理番号を生成する。本実施例では一例として上位桁を源コンテンツの識別番号とし、最下位の桁をダイジェストコンテンツの識別番号とし、０の場合は源コンテンツ、その他の値の場合はダイジェストコンテンツであることを示している。
タイトルは、ユーザがタイトルを見るだけで源コンテンツと、ダイジェストコンテンツの関係が判るようにするため、本実施例では源コンテンツのタイトル名の後ろダイジェストコンテンツの再生時間を付けたものとしている。なお、タイトルの生成方法はユーザがタイトルを見るだけで源コンテンツと、ダイジェストコンテンツの関係が判るような名前付けであれば方法は問わない。また、コンテンツＵＲＩの生成方法は特に規定しない。
【００１９】
配信処理手段１０５は指定されたコンテンツＵＲＩでコンテンツ管理手段１０４から指定されたコンテンツのファイル名を取得し、コンテンツ蓄積手段１０１から読出し、ネットワーク通信手段２０６を介してネットワーク配信する。ネットワーク通信手段１０６は他のネットワーク装置の要求に従って、コンテンツ情報やコンテンツを送信する。
コンテンツ受信装置２００はコンテンツ情報要求手段２０１、コンテンツ要求手段２０２、コンテンツ再生手段２０３、表示手段２０４、入力手段２０５、ネットワーク通信手段２０６から成る。コンテンツ情報要求手段２０１はコンテンツ送信装置１００が提供するコンテンツ情報（図２のタイトル２１３、記録日２１４、再生時間２１５、サイズ２１６、コンテンツＵＲＩ２１７）を取得し保持する。さらに、表示手段２０４を介して、ユーザがコンテンツを選択するための情報、例えば、タイトル２１３、記録日２１４、時間２１５を表示する。
【００２０】
ユーザが再生コンテンツを選択した場合は、コンテンツ要求手段２０２がコンテンツ情報要求手段２０１の保持する参照しコンテンツＵＲＩ２１７を取得し、その情報を用いてネットワーク通信手段２０６を介してコンテンツ送信手段１００からコンテンツを取得し、取得されたコンテンツはコンテンツ再生手段２０３でＭＰＥＧ２などのように符号化されたコンテンツにエンコード処理を施し、表示手段２０４を介して画面表示する。
【００２１】
この時、本発明のコンテンツ送信装置１００提供するコンテンツ情報は、コンテンツのタイトル名でユーザが源コンテンツとそのダイジェストコンテンツの対応が付くような命名をしており、また、ダイジェストの再生時間もタイトルに含めている。
従って、コンテンツ名と、コンテンツのアクセス先を指定することでコンテンツ共有を実現するような、一般的なコンテンツ情報のフォーマット、例えばＤＬＮＡ（Ｄｉｇｉｔａｌ Ｌｉｖｉｎｇ Ｎｅｔｗｏｒｋ Ａｌｌｉａｎｃｅ）ガイドライン（以下、ＤＬＮＡガイドラインと記す）に従っていれば、コンテンツ受信装置２００はネットワーク経由でダイジェストコンテンツを視聴するために新たな処理を組み込む必要は全く無い。
【００２２】
図４にＤＬＮＡガイドラインで採用されているＣＤＳ（Ｃｏｎｔｅｎｔ  Ｄｉｒｅｃｔｏｒｙ  Ｓｅｒｖｉｃｅｓ）における代表的なプロパティと、コンテンツ管理手段１０４の管理するコンテンツ情報（図２）との関係を示す。
ここに示すように、ＣＤＳで規定されたプロパティにダイジェストコンテンツ情報をマッピングして提供すれば、コンテンツ受信装置は、対応するプロトコル、例えばＤＬＮＡガイドラインに従ってコンテンツ情報を取得し、表示すればユーザは表示されたコンテンツリストからコンテンツとそのダイジェスト版を利用できることを知ることができ、ダイジェスト版と源コンテンツを区別することなく選択できる。
【００２３】
また、ダイジェストコンテンツはコンテンツ送信側が生成するため、コンテンツ受信側は通常コンテンツと同じようにコンテンツＵＲＩにアクセスしコンテンツを取得、再生することが可能となる。
以上、説明したように本実施例によればコンテンツ受信側は一般的なコンテンツ共有の仕組みに従っていれば良く、装置に新たなハード的、ソフト的な実装を追加することなく、ネットワーク経由でダイジェストコンテンツ再生を実現可能にするコンテンツ送信装置を提供できる。
【００２４】
次に、本発明の実施例２について説明する。実施例２に係るコンテンツ送信装置１００およびコンテンツ受信装置２００の構成は図１と等しく、生成するコンテンツ情報が異なる。図５は実施例に係るコンテンツ情報の一例である。
図２のコンテンツ情報と同じ情報については同じ番号で示し、説明を割愛する。２１８はプレイスピードリストで、コンテンツ送信装置１００が提供可能なコンテンツの再生時間を表す。ここでは、値「１」が源コンテンツそのままの時間で再生することを示す。「３」は１／３の時間で再生可能であることを示す。
すなわち、図５の管理番号１０は、源コンテンツを１／３の時間に短縮した３０分版と、１／１８に短縮した５分版のダイジェストコンテンツが提供可能であることをあらわしている。
【００２５】
図６は第２の実施例である実施例２に係るコンテンツ管理手段１０４の処理フローである。先に図３で説明した処理フローと異なる処理を太線、太字で示す。
まず、源コンテンツのコンテンツ情報を生成、保存するステップＳ１０６ではプレイスピードリスト情報を追加し、源コンテンツのプレイスピード「１」を保存する。
次に、ダイジェストコンテンツが保存されたときの処理であるが、ダイジェストコンテンツに関しては、コンテンツ管理手段は管理番号だけを生成し、ファイル名、録画時間、サイズの情報とともに保存する。
【００２６】
次に、ダイジェストコンテンツのプレイスピード情報を生成し、源コンテンツのプレイスピードリストに追記する（Ｓ１０７）。なお、コンテンツ情報を要求されたコンテンツ情報提供手段は、源コンテンツのコンテンツ情報だけを提供し、コンテンツ受信装置２００は、源コンテンツのコンテンツＵＲＩとプレイスピードで取得するコンテンツを指定する。第２の実施例ではコンテンツ受信装置２００に源コンテンツのコンテンツ情報だけを提示し、源コンテンツの情報に提供可能なダイジェストコンテンツの情報を含めるため、より選択しやすいユーザＩ／Ｆを提供できる。
【００２７】
また、ＤＬＮＡガイドラインのプロパティ情報の１つである<res@protocolInfo>の第４フィールドの[ps_param]にプレイスピードリストをマッピングすれば、サーバーサイドトリックプレイの枠組みの範囲でダイジェストコンテンツを提供することが出来る。
すなわち、本実施例によれば第１の実施例と同様に、コンテンツ受信側は一般的なコンテンツ共有の仕組みに従っていれば良く、装置に新たなハード的、ソフト的な実装を追加することなく、ネットワーク経由でダイジェストコンテンツ再生を実現可能にするコンテンツ送信装置を提供できる。
【００２８】
図７は実施例３に係るコンテンツ送信装置１００およびコンテンツ受信装置２００の構成の一例を示したものである。図中、図１と同じ機能を備える手段は同じ番号で示し、ここでは説明を割愛する。１０８はダイジェスト情報生成手段である。
ダイジェスト情報生成手段は、コンテンツ蓄積手段に保存されたコンテンツを所定の再生時間になるように編集し、図８に示すような源コンテンツのファイルの読み出し位置情報を生成し、読み出し位置リスト（２１９）として保存する。１０９の配信処理手段は要求されたコンテンツが大ジャストコンテンツの場合は該当コンテンツのコンテンツ管理手段を読み出し位置リストに従ってコンテンツ蓄積手段１０１からダイジェストコンテンツを読み出し、ネットワーク通信手段１０６を介して配信する。
コンテンツ情報の生成方法は、実施例１の方式でも、実施例２の方式でも良い。
【００２９】
本実施例によれば、本実施例によれば第１の実施例と同様に、コンテンツ受信側は一般的なコンテンツ共有の仕組みに従っていれば良く、装置に新たなハード的、ソフト的な実装を追加することなく、ネットワーク経由でダイジェストコンテンツ再生を実現可能にするコンテンツ送信装置を提供できる、さらに、ダイジェストコンテンツを保存しないためコンテンツ蓄積手段１０１のメモリを効率よく使用することができる。
【産業上の利用可能性】
【００３０】
本発明はコンテンツを蓄積する機能を備えたコンテンツ送信装置とコンテンツ受信装置で構成されるネットワークシステムにおいて、UPnP AVやDLNAガイドラインなど既存のコンテンツ共有に従ったコンテンツ受信装置が存在するネットワークに有効である。
【図面の簡単な説明】
【００３１】
【図１】実施例１に係るコンテンツ送信装置とコンテンツ受信装置の構成の一例。
【図２】実施例１に係るコンテンツ情報の一例。
【図３】実施例１に係るコンテンツ管理手段の処理フロー。
【図４】実施例１に係るＣＤＳプロパティとコンテンツ情報の関係。
【図５】実施例２に係るコンテンツ情報の他の一例。
【図６】実施例２に係るコンテンツ管理手段の処理フローの一例。
【図７】実施例３に係るコンテンツ送信装置とコンテンツ受信装置の構成の一例。
【符号の説明】
【００３２】
１００…コンテンツ送信装置
１０１…コンテンツ蓄積手段
１０２…ダイジェストコンテンツ生成手段
１０３…コンテンツ情報提供手段
１０４…コンテンツ管理手段
１０５…配信処理手段
１０６…ネットワーク通信手段
２００…コンテンツ受信装置
３００…IPネットワーク
【図１】
2007194975.tif 000003
【図２】
2007194975.tif 000004
【図３】
2007194975.tif 000005
【図４】
2007194975.tif 000006
【図５】
2007194975.tif 000007
【図６】
2007194975.tif 000008
【図７】
2007194975.tif 000009